【手続補正書】
【提出日】令和2年1月17日(2020.1.17)
【手続補正１】
【補正対象書類名】明細書
【補正対象項目名】発明の名称
【補正方法】変更
【補正の内容】
【発明の名称】文書管理システム及びクラウドベースのコンピュータサーバ
【手続補正２】
【補正対象書類名】特許請求の範囲
【補正対象項目名】全文
【補正方法】変更
【補正の内容】
【特許請求の範囲】
【請求項１】
文書管理システムであって、該システムが、
試験デバイスの第１のユーザのためのクライアントアプリケーションを実行するための命令を実行するプロセッサを含む試験デバイスであって、該命令の実行に応じて、
試験構成命令に基づいてプロジェクトでのネットワークケーブルへの少なくとも１つの試験手順を実行し、
前記試験構成命令に基づいて前記少なくとも１つの試験手順での試験結果を生成するアクションを実行する試験デバイスと、
前記試験デバイスに無線で連結されるクラウドベースのサーバデバイスと、を備え、前記サーバデバイスが、
前記プロジェクトのプロジェクトデータを記憶する少なくとも１つのデータベースであって、該プロジェクトデータが複数のプロジェクト文書、前記試験構成命令、前記試験結果を含む少なくとも１つのデータベースと、
その他の命令を実行するプロセッサであって、
前記試験デバイスに前記試験構成命令を提供することと、
前記試験デバイスから前記プロジェクトでの前記試験結果を受信することと、
第２のユーザが前記試験結果を変更又は認証できるようにすることと、
前記クライアントアプリケーションからの要求を処理することであって、前記要求が、前記複数のプロジェクト文書のうちの１つ以上への前記第１のユーザのアクセスを指定し、前記要求が、前記第１のユーザの認証情報を含む、要求を処理することと、
前記受信した認証情報に基づいて、前記第１のユーザを認証することと、
前記第１のユーザの認証に成功することに応じて、前記要求された１つ以上のプロジェクト文書への前記第１のユーザアクセスを付与することであって、前記１つ以上のプロジェクト文書が変更又は認証された前記試験結果を含む、前記第１のユーザアクセスを付与することと、を行うように構成されるプロセッサと、を含む、文書管理システム。
【請求項２】
前記複数のプロジェクト文書が、前記プロジェクトに固有の提案要求（ＲＦＰ）文書、前記プロジェクトに関する変更命令文書、前記プロジェクトに関する１つ以上の構造の概略図のうちの少なくとも１つを含む、請求項１に記載の文書管理システム。
【請求項３】
前記クラウドベースのサーバデバイスの前記プロセッサが、更に、前記複数のプロジェクト文書に基づいて、所定のフォーマットで作業明細書文書を動的に生成し、また、前記生成した作業明細書文書を前記少なくとも１つのデータベースに記憶する前記その他の命令を実行する、請求項１に記載の文書管理システム。
【請求項４】
前記クラウドベースのサーバデバイスの前記プロセッサが、更に、１人以上の他のユーザの認証に成功することに応じて、前記１人以上の他のユーザに対して前記生成した作業明細書文書へのアクセスを提供する前記その他の命令を実行する、請求項３に記載の文書管理システム。
【請求項５】
前記クラウドベースのサーバデバイスの前記プロセッサが、更に、前記１人以上の他のユーザによる前記生成した作業明細書の承認を取得する前記その他の命令を実行する、請求項４に記載の文書管理システム。
【請求項６】
前記クラウドベースのサーバデバイスの前記プロセッサが、更に、前記クライアントアプリケーションの前記第１のユーザによって入力される情報に従って、前記プロジェクトに関する変更命令文書を生成し、また、前記生成した変更命令文書を別のユーザに送信する前記その他の命令を実行する、請求項５に記載の文書管理システム。
【請求項７】
前記クラウドベースのサーバデバイスの前記プロセッサが、更に、前記別のユーザの認証に成功することに応じて、前記別のユーザからの前記生成した変更命令文書に指定される１つ以上の変更の承認を取得する前記その他の命令を実行する、請求項６に記載の文書管理システム。
【請求項８】
前記クラウドベースのサーバデバイスの前記プロセッサが、更に、前記別のユーザから前記１つ以上の変更の前記承認を取得することに応じて、前記作業明細書文書を動的に更新する前記その他の命令を実行する、請求項７に記載の文書管理システム。
【請求項９】
前記プロジェクトに関する前記１つ以上の構造の概略図が、建物構造の青写真文書を含み、前記青写真文書が、前記建物構造の３次元デジタル表現及び対応するラベリングスキーマを含む、請求項２に記載の文書管理システム。
【請求項１０】
前記クラウドベースのサーバデバイスの前記プロセッサが、更に、１人以上の他のユーザに前記青写真文書を提示し、また、前記１人以上の他のユーザのうちの少なくとも１人による前記青写真文書の承認を取得する前記その他の命令を実行する、請求項９に記載の文書管理システム。
【請求項１１】
プロジェクト文書へのユーザアクセスを提供するためのクラウドベースのコンピュータサーバであって、
命令を記憶するメモリと、
プロジェクト、試験構成命令、試験結果のための複数のプロジェクト文書を記憶する少なくとも１つのデータベースと、
前記メモリ及び少なくとも１つのデータベースと通信状態で配置されるプロセッサであって、前記命令を実行すると、
第１のユーザの試験デバイスに前記試験構成命令を提供し、前記試験構成命令に基づいて前記プロジェクトでのネットワークケーブルへの試験手順を実行することと、
前記試験デバイスから前記プロジェクトでの前記試験結果を受信することと、
第２のユーザから前記試験結果の変更又は認証を受信することと、
変更又は認証された前記試験結果を含む前記複数のプロジェクト文書のうちの１つ以上へのアクセスに対する前記試験デバイスの前記第１のユーザからの要求を処理することと、また、前記第１のユーザの認証に成功することに応じて、前記要求された１つ以上のプロジェクト文書への前記第１のユーザアクセスを付与することとを含むアクションを実行する、プロセッサと、を含む、クラウドベースのコンピュータサーバ。
【請求項１２】
前記複数のプロジェクト文書が、前記プロジェクトに固有の提案要求（ＲＦＰ）文書、前記プロジェクトに関する変更命令文書、前記プロジェクトに関する１つ以上の構造の概略図、前記プロジェクトに関するケーブル証明レポート、前記プロジェクトに関する概略レポートのうちの少なくとも１つを、更に含む、請求項１１に記載のクラウドベースのコンピュータサーバ。
【請求項１３】
前記第１のユーザの要求が、新しいプロジェクト文書を生成する要求であり、前記プロセッサが、更に、前記複数のプロジェクト文書に基づいて、所定のフォーマットで作業明細書文書を動的に生成し、また、前記生成した作業明細書文書を前記少なくとも１つのデータベースに記憶することを含むアクションを実行する、請求項１１に記載のクラウドベースのコンピュータサーバ。
【請求項１４】
前記プロセッサが、前記１つ以上のユーザの通知選好に基づいて、前記作業明細書文書を生成することに応じて通知を１人以上のユーザに送信することを含むアクションを更に実行する、請求項１３に記載のクラウドベースのコンピュータサーバ。
【請求項１５】
前記プロセッサが、前記１人以上のユーザによる前記生成した作業明細書の承認を取得することを含むアクションを更に実行する、請求項１４に記載のクラウドベースのコンピュータサーバ。
【請求項１６】
前記第１のユーザの要求が、新しいプロジェクト文書を生成する要求であり、前記プロセッサが、更に、進行中のプロジェクトに対する変更を指定する変更命令文書を動的に生成し、また、前記生成した変更命令文書を前記少なくとも１つのデータベースに記憶することを含むアクションを実行する、請求項１１に記載のクラウドベースのコンピュータサーバ。
【請求項１７】
前記プロセッサが、別のユーザの認証に成功することに応じて、前記別のユーザからの前記生成した変更命令文書に指定される１つ以上の変更の承認を取得することを含むアクションを更に実行する、請求項１６に記載のクラウドベースのコンピュータサーバ。
【請求項１８】
前記プロセッサが、前記別のユーザから前記１つ以上の変更の前記承認を取得することに応じて、前記作業明細書文書を動的に更新することを含むアクションを更に実行する、請求項１７に記載のクラウドベースのコンピュータサーバ。
【請求項１９】
前記第１のユーザの要求が、前記少なくとも１つのデータベースに記憶される構造化ケーブル証明レポートにアクセスする要求を含む、請求項１２に記載のクラウドベースのコンピュータサーバ。
【請求項２０】
前記要求された構造化ケーブル証明レポートへの前記第１のユーザアクセスを付与することが、前記要求された構造化ケーブル証明レポートを前記試験デバイスに無線で送信することを含む、請求項１９に記載のクラウドベースのコンピュータサーバ。